(57)【要約】　　　（修正有）【課題】竿のバランスが良く、像が風雨に曝されるのを低減し、また、墓参りに際して香華をたむける折りに御本尊様と御先祖様とを同時に合掌できる墓石を提供する。【解決手段】墓石の竿の高さを標準寸法より若干長く形成するとともに竿の表面周囲に額縁を形成し、該額縁内の上部に横が竿の幅の３０〜４０％で縦が竿の高さの１０〜２０％の寸法をもつ仏像を彫り込みによって立体的に形成する。【選択図】　　　　図１
0003097834.tif 000002
【実用新案登録請求の範囲】
【請求項１】
墓石の竿の高さを標準寸法より若干長く形成するとともに竿の表面周囲に額縁を形成し、該額縁内の上部に横が竿の幅の３０〜４０％で縦が竿の高さの１０〜２０％の寸法をもつ仏像を彫り込みによって立体的に形成して成ることを特徴とする墓石。
【考案の詳細な説明】
【０００１】
【考案の属する技術分野】
本考案は、墓石、特に墓石の上部に載置する竿に関する。
【０００２】
【従来の技術】
従来の墓石は、中台、上台及び竿とから組合わせ構築され、墓石の竿の表面には、例えば「何々家之墓」、「何々家先祖代々之墓」等、種々の文字のみが刻設されているのが多く、まれに竿表面の上部に家紋が刻設されているのが見受けられる。
また、従来の墓所の竿の表現を改め、信仰心の深さと家の風格を表すため、竿の表面上部に大きく仏像画を刻設し、その下に何々家之墓等の文字を刻設するものが知られている（例えば、特許文献１参照）。
【０００３】
【特許文献１】
実願昭５９−５９１３３号（実開昭６０−１７０４５４号）のマイクロフィルム
【０００４】
【考案が解決しようとする課題】
しかしながら、竿表面に大きく仏像画を刻設したものでは、信仰心の深さを表しているものの、標準寸法の竿を用いた場合、竿表面に対し仏像画の占める割合が大きく、仏像画の下に刻設される「何々家之墓」等の文字が小さくならざるを得ないため、両者のバランスが悪く、結果として、墓参する者の信仰心と祖先の霊を祀る気持ちの双方をバランス良く満たすことができないという問題があった。
また、仏像画を竿表面に単に刻設するだけでは、平面的なイメージで立体感に乏しいため、通常我々が寺社仏閣において合掌するところの仏様等とは違ったイメージを与えるだけではなく、仏像画が風雨に曝されるといった問題もあった。
【０００５】
本考案は、上記の点に鑑みてなされたもので、高さ寸法を標準寸法より若干長く形成した竿の表面に額縁を形成し、該額縁内の上部に観音様、阿弥陀様又は地蔵様の像（本考案においては、これらを総称して「仏像」という。）を彫り込み形成することにより、竿のバランスが良く、像が風雨に曝されるのを低減し、また、墓参りに際して香華をたむける折りに御本尊様と御先祖様とを同時に合掌できる墓石を提供することを目的とする。
【０００６】
【課題を解決するための手段】
上記目的を達成するため本考案の墓石は、墓石の竿の高さを標準寸法より若干長く形成するとともに竿の表面周囲に額縁を形成し、該額縁内の上部に横が竿の幅の３０〜４０％で縦が竿の高さの１０〜２０％の寸法をもつ仏像を彫り込みによって立体的に形成して成ることを特徴とする。
【０００７】
【考案の実施の形態】
以下、本考案による実施の形態を図面を参照しながら説明する。
図１は、墓石の一例を示すものであり、墓石は上から順に竿１、スリン（あるいは蓮華）２、上台３及び下台４から構成されている。墓石は標準的な墓石寸法が定められており、通常、８寸、９寸、１０寸、１１寸及び１２寸のものがある。例えば、１０寸の墓石の場合、竿１の寸法は、幅１０寸×奥行１０寸×高さ２６寸である。なお、竿１の上端には、香箱５が形成される。
【０００８】
本考案においては、竿１の表面６上部に観音様、阿弥陀様又は地蔵様の像であるところの仏像を彫り込み形成するため、竿１の高さは標準寸法より若干長く形成されている。
【０００９】
以下、墓石寸法が１０寸の場合を例にとり説明する。
墓石寸法が１０寸の、竿１の標準の高さは２６寸であるが、本考案においては、例えば、１．５寸（標準寸法の高さの約６％）長くし、２７．５寸とする。これは、仏像の下に刻設する文字のスペースを確保するためのものである。また、竿１の表面６は、その周囲に幅１寸の額縁７が全周にわたって形成されるように額縁７の部分を残して３分の深さで削り落とされる。
【００１０】
図２に示すように、竿１の表面６上部には、仏像８を彫り込み形成する。
仏像８の大きさは、横３．５寸×縦４寸×奥行き１寸３分とする。本例では、竿の幅は１０寸、高さは２７．５寸であるから、仏像８の横の寸法は竿の幅の３５％、縦の寸法は竿の高さの約１５％となっている。墓石寸法に応じて竿の寸法も変わるが竿１の表面における仏像及び文字の配置バランスを考慮して、仏像の大きさは、横が竿の幅の３０〜４０％、縦が竿の高さの１０〜２０％が好ましい。
【００１１】
竿１の表面６は幅１寸の額縁７を残して３分の深さで削り落とされるが、その際、仏像８を形成する部分も、額縁７と同様、削り落とさずに残しておき、仏像８が表面６から浮き出るようにする。また、仏像８の前面と額縁７表面は面一に形成されるから、仏像８が雨露にまともに曝されることを防止できる。
【００１２】
図２の仏像８は、観音座像を丸彫で彫刻したものであり、その周囲が表面６から１寸の深さで彫り込まれることにより１寸３分の奥行きをもった像が立体的に形成されている。周囲の彫り込み部９の形状は、例えば図２に示すようなもの等、任意であり、最大幅が４．５寸、最大高さが４．５寸である。彫り込み部９を形成する際、図２に示すように彫り込み部９の形状に合わせて彫り込み部９の上部に位置する額縁７をその幅の半分である最大で５分程度下方から削り落とし、その削り落とされた額縁７の内縁から５分の間隔をもって彫り込み部９を形成することにより仏像８を形成する。このようにすることにより、竿１の高さ方向スペースを有効に利用でき、竿１の高さを仏像８の高さ程長くしなくてもバランス良く、仏像と文字とを配置できる。また、上辺の額縁７を削ることなくその内縁から５分離して彫り込み部９を形成しても良い。さらに、彫り込み部９の周囲に額縁７と同じ高さの縁取りを設けても良い。
【００１３】
このように形成された竿１の仏像８の下には、「何々家之墓」あるいは「何々家先祖代々之墓」等、通常通りに文字を刻設して用いる。
【００１４】
仏像８としては、観音様、阿弥陀様又は地蔵様の座像又は立像であり、その形状は種々採用できるものである。また、上記においては墓石寸法が１０寸の場合を例にとり説明したが、墓石寸法が１１寸の場合は、竿１の標準の高さは２８寸であり、例えば、２寸（標準寸法の高さの約７％）長くして３０寸とする。竿１の高さは標準寸法の５％〜１０％の範囲で長くするのが好ましい。
【００１５】
観音様は、この世の苦しみを差別なく、誰でも極楽世界へ導いてくださる菩薩様であり、また、地蔵様は、あの世に行く前に苦しみを救ってくださる地蔵様であり、さらに、阿弥陀様は、極楽世界の教主であり、永遠の命を開眼してくださる佛様であるから、自分の信仰する仏像を選択し墓石の竿に彫り込んでおくことにより、御先祖様と一緒に御本尊様に対して合掌することができる。
【００１６】
【考案の効果】
本考案は次のような優れた効果を奏する。
（１）墓参りに際して香華をたむける折りに御本尊様と御先祖様とを同時に合掌できる墓石を提供できる。
（２）竿表面に、仏像と文字とをバランス良く配置することができ、御本尊様と御先祖様の双方に対して心からお参りできる。
（３）仏像に立体感を持たせることができ、墓参り者の信仰心を満たすことができる。
（４）仏像が風雨に曝されるのを低減することができる。
【図面の簡単な説明】
【図１】本考案の実施の形態に係る墓石の斜視図である。
【図２】本考案の実施の形態に係る竿の上部を示す正面図である。
【図３】図２のＡ−Ａ断面図である。
【符号の説明】
１　竿１
２　スリン
３　上台
４　下台
５　香箱
６　竿の表面
７　額縁
８　仏像
９　彫り込み部
【図１】
0003097834.tif 000003
【図２】
0003097834.tif 000004
【図３】
0003097834.tif 000005